(57)【要約】      （修正有）【課題】ハンドスキャナの脱落を防止可能なハンドスキャナの固定器具及び情報処理装置を提供する。【解決手段】ＰＯＳシステムのハンドスキャナを有する縦型スキャナは、縦型スキャナの側面に取り付けられる取付部３１に連結して設けられ、開口部４０により略コ字状に形成されるとともに、ハンドスキャナを引き掛ける保持部３９と、保持部３９の先端に互いに対向して設けられ、往復動が可能な可動部３３と、開口部４０をハンドスキャナのハンドルが移動することで、可動部３３が移動し、前記ハンドスキャナのＯＮ／ＯＦＦを行うスキャナコントローラと、を備える構成とした。【選択図】図３
2010244428.tif 000002
【特許請求の範囲】
【請求項１】
商品を読み取る読み取り部を有するヘッド部、及び、このヘッド部よりもその幅が狭く形成されたハンドルを具備するハンドスキャナの固定器具であって、
その中心側及び側面の一部に前記ハンドルの幅よりも広く形成された開口部を有し、この開口部に前記ハンドルを挿通し、前記中心側で前記ハンドスキャナを保持する保持部と、
この保持部の前記ハンドルが挿通する前記開口部に互いに対向して設けられ、互いに対向した対向幅が前記ハンドルの幅よりも狭く配置されるとともに、前記開口部に前記ハンドルを挿通させることで前記対向幅が前記ハンドルと同一、又は、前記ハンドルの幅よりも広い幅まで移動する可動部と、
を備えることを特徴とするハンドスキャナの固定器具。
【請求項２】
前記可動部は、弾性部材により前記互いに対向する方向へ所定の力で付勢されていることを特徴とする請求項１に記載のハンドスキャナの固定器具。
【請求項３】
商品を読み取る読み取り部を有するヘッド、及び、この認識部よりもその幅が狭く形成されたハンドルを具備するハンドスキャナと、
その中心側及び側面の一部に前記ハンドルの幅よりも広く形成された開口部を有し、この開口部に前記ハンドルを挿通し、前記中心側で前記ハンドスキャナを保持する板状の保持部と、
この保持部の前記ハンドルが挿通する前記開口部に互いに対向して設けられ、互いに対向した対向幅が前記ハンドルの幅よりも狭く配置されるとともに、前記開口部に前記ハンドルを挿通させることで前記対向幅が前記ハンドルと同一、又は、前記ハンドルの幅よりも広い幅まで移動する可動部と、
少なくとも前記保持部から前記ハンドスキャナが離脱するときの前記可動部の移動によって、前記読み取り部により前記商品を読み取り可能とする制御手段と、
を備えることを特徴とする情報処理装置。
【請求項４】
前記可動部は、弾性部材により前記互いに対向する方向へ所定の力で付勢されていることを特徴とする請求項３に記載の情報処理装置。
【請求項５】
縦型スキャナをさらに具備し、
前記保持部は前記縦型スキャナに設けられることを特徴とする請求項３又は請求項４に記載された情報処理装置。
【発明の詳細な説明】
【技術分野】
【０００１】
本発明は、バーコードをレーザ光により読み取るハンドスキャナの固定器具、及び、この固定器具を用いた情報処理装置に関する。
【背景技術】
【０００２】
店舗のレジカウンタに設けられたＰＯＳシステムの情報処理装置として、ＰＯＳターミナル及び縦型スキャナ等が用いられている。これらの情報処理装置は、例えば、ＰＯＳターミナルがレジ台に配置されるとともに、縦型スキャナはサッカー台（流し台）に配置される。
【０００３】
縦型スキャナは、光学式マーク認識によりバーコード等を読み取り可能に形成されている。縦型スキャナは、サッカー台に固定されて配置されるため、重い商品等では、縦型スキャナを用いてバーコードを読み取ることが困難なこともある。このため、ＰＯＳターミナルや縦型スキャナに光学式マーク認識によりバーコード等を読み取り可能な小型のハンドスキャナを有する縦型スキャナも知られている。
【０００４】
ハンドスキャナは、情報処理装置と信号ケーブル等で接続されており、オペレータが、商品のバーコードへハンドスキャナを近づけることで、レーザ光によりバーコードを読み取る。
【０００５】
ハンドスキャナは、未使用時に、レジ台、サッカー台、縦型スキャナ又はレジカウンタ等に設けられた固定器具（専用の置き台）に置かれる。このようなハンドスキャナの固定器具として、例えば、穴部を有したシート状体を折り曲げることで作成されたものが知られている（例えば、特許文献１参照）。また、縦型スキャナの側面に、ハンドスキャナを引き掛けることが可能な固定器具も知られている。
【発明の概要】
【発明が解決しようとする課題】
【０００６】
上述したハンドスキャナの固定器具及び情報処理装置では、次のような問題があった。即ち、上述の固定器具を用いた場合、ハンドスキャナの未使用時に、買い物籠等がハンドスキャナのケーブルに接触することで、固定器具からハンドスキャナが脱落する虞がある。
【０００７】
ハンドスキャナは、常にレーザ光を発生させているため、ハンドスキャナの置き方や脱落によっては、カスタマの目にレーザ光が当たる虞もある。
【０００８】
そこで本発明は、ハンドスキャナの脱落を防止可能なハンドスキャナの固定器具及び情報処理装置を提供することを目的としている。
【課題を解決するための手段】
【０００９】
前記課題を解決し目的を達成するために、本発明のハンドスキャナの固定器具、及び、情報処理装置は次のように構成されている。
【００１０】
本発明の一態様として、商品を読み取り可能な読み取り部を有するヘッド部、及び、このヘッド部よりもその幅が狭く形成されたハンドルを具備するハンドスキャナの固定器具であって、その中心側及び側面の一部に前記ハンドルの幅よりも広く形成された開口部を有し、この開口部に前記ハンドルを挿通し、前記中心側で前記ハンドスキャナを保持する板状の保持部と、この保持部の前記ハンドルが挿通する前記開口部に互いに対向して設けられ、互いに対向した対向幅が前記ハンドルの幅よりも狭く配置されるとともに、前記開口部に前記ハンドルを挿通させることで前記対向幅が前記ハンドルと同一、又は、前記ハンドルの幅よりも広い幅まで移動する可動部と、を備えることを特徴とするハンドスキャナの固定器具が提供される。
【００１１】
本発明の一態様として、商品を読み取る読み取り部を有するヘッド、及び、この認識部よりもその幅が狭く形成されたハンドルを具備するハンドスキャナと、その中心側及び側面の一部に前記ハンドルの幅よりも広く形成された開口部を有し、この開口部に前記ハンドルを挿通し、前記中心側で前記ハンドスキャナを保持する板状の保持部と、この保持部の前記ハンドルが挿通する前記開口部に互いに対向して設けられ、互いに対向した対向幅が前記ハンドルの幅よりも狭く配置されるとともに、前記開口部に前記ハンドルを挿通させることで前記対向幅が前記ハンドルと同一、又は、前記ハンドルの幅よりも広い幅まで移動する可動部と、少なくとも前記保持部から前記ハンドスキャナが離脱するときの前記可動部の移動によって、前記読み取り部により前記商品を読み取り可能とする制御手段と、を備えることを特徴とする情報処理装置が提供される。
【発明の効果】
【００１２】
本発明によれば、ハンドスキャナの脱落を防止するとともに、ハンドスキャナを固定器具から脱離させたときに、ハンドスキャナにより商品の読み取りを行うことが可能となる。
【図面の簡単な説明】
【００１３】
【図１】本発明の一実施の形態に係るＰＯＳシステムの構成を示す斜視図。
【図２】同ＰＯＳシステムに用いられる縦型スキャナ及びハンドスキャナの構成を示す斜視図。
【図３】同ハンドスキャナを保持する固定器具の構成を示す斜視図。
【図４】同固定器具の構成を示す分解斜視図。
【図５】同固定器具の要部構成を示す分解斜視図。
【図６】同縦型スキャナの構成を模式的に示すブロック図。
【発明を実施するための形態】
【００１４】
以下、本発明の一実施の形態に係るＰＯＳシステム１００を図１〜６を用いて説明する。  
図１は本発明の一実施の形態に係るＰＯＳシステム１００の構成を示す斜視図、図２は同ＰＯＳシステム１００に用いられる縦型スキャナ２及びハンドスキャナ２４の構成を示す斜視図、図３は同ハンドスキャナ２４を保持する固定器具２５の構成を示す斜視図、図４は同固定器具２５の構成を示す分解斜視図、図５は同固定器具２５の要部構成を示す分解斜視図、図６は同縦型スキャナ２の構成を模式的に示すブロック図である。なお、図１〜６中、Ｂはバスラインを、Ｋはケーブルを、Ｓは信号線をそれぞれ示している。
【００１５】
図１に示すように、ＰＯＳシステム１００は、スーパ等のレジカウンタ２００に設けられている。ＰＯＳシステム１００は、情報処理装置として、ＰＯＳターミナル１と、ハンドスキャナ２４を有する縦型スキャナ２と、を備えている。
【００１６】
レジカウンタ２００は、レジ台２０１と、サッカー台２０２とを備えている。例えば、レジカウンタ２００は、レジ台２０１とサッカー台２０２とをＬ字状に並設させて構成されている。なお、レジカウンタ２００は、Ｌ字状でなくとも良く、レジ台２０１及びサッカー台２０２の一方でも良いし、これら以外であってもよい。
【００１７】
ＰＯＳターミナル１は、レジ台２０１上に配置されている。ＰＯＳターミナル１は、筐体１０と、キーボード１１と、オペレータ用ディスプレイ１２と、カスタマ用ディスプレイ１３と、プリンタ１４と、ドロワ１５と、を備えている。また、ＰＯＳターミナル１は、サーバや縦型スキャナ２と接続する通信インターフェイスを備えている。
【００１８】
図１，２に示すように、縦型スキャナ２は、サッカー台２０２にその左右に買い物籠を載置可能なスペースを有して固定されている。縦型スキャナ２は、固定スキャナ２０と、キーボード２１と、オペレータ用ディスプレイ２２と、カスタマ用ディスプレイ２３と、ハンドスキャナ２４と、を備えている。また、縦型スキャナ２は、その側面であって、例えばオペレータ用ディスプレイ２２の下方に、ハンドスキャナ２４用の固定器具２５が設けられている。
【００１９】
固定スキャナ２０は、商品に付与されたバーコードを光学的に走査して読み取る、所謂、光学式マーク認識（ＯＭＲ：Optical Mark Recognition）機能を有している。固定スキャナ２０は、バーコードを光学的に走査して読み取るためのレーザ光を発生させるとともに、この発生させたレーザ光をバーコードに走査させることで、バーコードに記載された情報を読み取り可能に形成されている。オペレータ用ディスプレイ２２は、例えば、タッチパネル式ディスプレイが用いられる。
【００２０】
ハンドスキャナ２４は、光学式マーク認識機能を有している。即ち、ハンドスキャナ２４は、固定スキャナ２０と同様に、商品に付与されたバーコードを認識可能に形成されている。図２に示すように、ハンドスキャナ２４は、ハンドル２６と、ヘッド部２７と、認識部（読み取り部）２８と、ケーブルＫと、を備えている。
【００２１】
ハンドル２６は、オペレータが把持可能な棒状に形成されている。また、ハンドル２６は、ハンドル２６の少なくとも一端側の幅がハンドル２６の胴部の幅より若干狭く形成されている。
【００２２】
ヘッド部２７は、ハンドル２６の一端側から連続して設けられている。ヘッド部２７は、ハンドル２６の幅よりもその幅が広く形成されている。また、ヘッド部２７は、ハンドル２６から屈曲又は湾曲して一体に設けられる。即ち、ハンドスキャナ２４は、ヘッド部２７がハンドル２６に屈曲して設けられることで、ハンドスキャナ２４の側面形状はへ字状に形成されている。また、ハンドスキャナ２４は、ハンドル２６の幅が狭い一端側に、ハンドル２６の幅よりも広い幅のヘッド部２７が連続して設けられている。このため、ハンドスキャナ２４は、ハンドル２６とヘッド部２７との連続部が括れている。
【００２３】
認識部２８は、例えば、レーザ光の発射と、バーコードの読み取りが可能に形成されている。ケーブルＫは、例えば、縦型スキャナ２に接続されている。
【００２４】
固定器具２５は、ハンドスキャナ２４を保持（載置）可能に形成されている。具体的には、図２〜５に示すように、固定器具２５は、縦型スキャナ２の側面にボルト等で取り付けられる取付部３１と、取付部３１に設けられ、ハンドスキャナ２４を引き掛けて保持する引掛部３２と、引掛部３２に設けられた可動部３３と、可動部３３の動作を検知する検知手段３４と、を備えている。
【００２５】
取付部３１は、方形状の取付ベース３６と、取付ベース３６に設けられたボルト穴３７と、を備えている。  
引掛部３２は、取付ベース３６の下面側に設けられている。引掛部３２は、取付部３１に連続して接続された連結部材３８と、この連結部材３８に接続された保持部３９と、を備えている。
【００２６】
連結部材３８は、取付ベース３６の下面から突出して設けられている。具体的には、連結部材３８は、固定器具２５が縦型スキャナ２に固定された場合に、鉛直方向に突出するように、取付ベース３６に延設されている。
【００２７】
保持部３９は、連結部材３８の端側であって、連結部材３８の延設方向に直交する方向に屈曲して設けられている。具体的には、保持部３９は、固定器具２５が縦型スキャナ２に固定された場合に、縦型スキャナ２の側面から離間する方向に延出して設けられる。
【００２８】
保持部３９は、その中心側と中心側と連続する側面の一部とが開口する開口部４０を有する板状に設けられている。例えば、図３に示すように、保持部３９は、開口部４０により略コ字状に形成されている。
【００２９】
なお、開口部４０は、例えば、ハンドスキャナ２４のハンドル２６、又は、ハンドル２６とヘッド部２７との連続部にある括れが挿通可能に形成されている。なお、図３の二点鎖線は、ハンドル２６の断面を示しており、図３に示すように、開口部４０は、ハンドル２６、又は、連続部の括れが挿通できる開口面積を有している。
【００３０】
言い換えると、保持部３９は、連結部材３８の延設方向に直交する方向に設けられ、所定の幅を有する第１保持部４１と、この第１保持部４１の端側の側面に設けられ、第１保持部４１と同一方向に突出し、互いに対向する２つの第２保持部４２と、を有している。即ち、保持部３９は、第１保持部４１と第２保持部４２とが一体に設けられることで構成され、第１保持部４１の側面から、互いに対向する第２保持部４２間の空間とにより開口部４０が形成される。このため、第２保持部４２間の幅は、少なくとも、ハンドスキャナ２４のハンドル２６が通過可能な幅に形成されている。また、開口部４０であって、第１保持部４１の側面から後述する可動部３３までの距離は、少なくともハンドスキャナ２４の厚さよりも長く形成されている。即ち、開口部４０は、ハンドスキャナ２４のハンドル２６を配置可能な広さの空間に形成されている。
【００３１】
また、保持部３９は、その上面、即ち、第１保持部４１及び第２保持部４２の上面に保持面４３を有している。この保持面４３は、ハンドスキャナ２４を開口部４０に挿通させてフリー状態とし、重力により重力方向にハンドスキャナ２４が移動した際に、ヘッド部２７を保持する面である。なお、保持面４３の形状は、ヘッド部２７の形状により適宜設定可能である。
【００３２】
図４に示すように、保持部３９は、その内部に空洞空間部を有するとともに、上下に分離可能に形成されている。即ち、保持部３９は、保持面４３を有する上部材４５と、上部材４５の下方に組み付く下部材４６と、上部材４５と下部材４６とを接続するビス４７と、を備えている。
【００３３】
上部材４５は、例えば、内部に雌ネジ部を有している。上部材４５は、例えば、取付部３１と連結部材３８と、樹脂材料等により一体成型されている。下部材４６は、例えば、ビス４７のねじ部を挿通させるネジ穴４８を有している。また、上部材４５及び下部材４６は、第２保持部４２の先端側の内面に、孔部４９を有している。
【００３４】
なお、保持部３９の第１保持部４１と第２保持部４２とは連続して設けられている。このため、上部材４５及び下部材４６は、第１保持部４１及び第２保持部４２の上側及び下側をそれぞれ形成している。
【００３５】
可動部３３は、第２保持部４２の先端側であって、互いに対向する面（内面４２ａ）の孔部４９から突出して設けられている。可動部３３は、第２保持部４２の内面４２ａから第２保持部４２の内部側へ移動し、内面４２ａの面位置となるように移動可能に形成されている。即ち、図３の矢印に示すように、可動部３３は、第２保持部４２の内面４２ａから突出及び内面４２ａとの面位置間で往復動（揺動）可能に形成されている。
【００３６】
可動部３３は、上部材４５と下部材４６との間に狭持されて設けられている。具体的には、可動部３３は、ハンドル２６に当接するとともに、ハンドル２６表面を摺動可能に形成された当接部材５１と、この当接部材５１に設けられた軸体５２と、この軸体５２に設けられ、所定のバネ定数を有する弾性部材５３と、を備えている。また、可動部３３は、当接部材５１に設けられた弾性部材５３の座面を形成する第１座部５４と、第１座部５４と弾性部材５３を介して対向し、弾性部材５３の座面を形成する第２座部５５と、を備えている。
【００３７】
当接部材５１は、孔部４９から突出して設けられ、半円板状に形成されている。弾性部材５３は、例えばコイルばねが用いられる。コイルばね５３は、その中心空間が軸体５２に挿通されて設けられる。なお、コイルばね５３が伸縮することで、当接部材５１が往復動する。
【００３８】
第１座部５４は、コイルばね５３の座を形成するとともに、コイルばね５３の復元力を当接部材５１に伝達させる。第２座部５５は、その中心部に開口５５ａを有している。第２座部５５は、当接部材５１が押圧されて、コイルばね５３が圧縮した際に、開口５５ａに軸体５２を挿通させるとともに、開口５５ａの周囲でコイルばね５３を受ける座が形成されている。
【００３９】
また、可動部３３は、可動部３３間の間隔、即ち、当接部材５１の突出する先端間の間隔が、ハンドル２６とヘッド部２７との連続部に設けられた括れよりも狭く形成されている。可動部３３は、当接部材５１が内面４２ａ側へ移動することで、当接部材５１の先端間の間隔がハンドル２６の幅よりも広く形成されている。即ち、当接部材５１は、最大量移動すると、第２保持部４２の内面４２ａと面一となる。このため、当接部材５１が最大量移動すると、第２保持部４２間の間隔（開口部４０の幅）となる。
【００４０】
検知手段３４は、例えば、押圧されることで、ＯＮ／ＯＦＦ（導通／非導通）が切り替わるＯＮ／ＯＦＦスイッチである。例えば、検知手段３４は、当接部材５１の軸体５２により押圧させる押圧部５７と、この押圧部５７に信号線Ｓを介して接続された検出部５８と、を備えている。また、検知手段３４は、縦型スキャナ２に設けられたスイッチコントローラ７４に接続されている。即ち、検知手段３４は、検出部５８とスイッチコントローラ７４とが信号線Ｓ等により接続されている。
【００４１】
このような検知手段３４は、押圧部５７が押圧された情報を検出部５８が検出し、この検出した情報を、信号線Ｓを介してスイッチコントローラ７４に送信可能に形成されている。
【００４２】
次に、図６の縦型スキャナ２のブロック図を用いて、縦型スキャナ２の構成を説明する。  
図６に示すように、縦型スキャナ２は、制御の中枢としてＣＰＵやチップセットで構成された制御部（制御手段）７０を搭載している。この制御部７０は、記憶部７１、スキャナコントローラ７２、通信インターフェイス（Ｉ／Ｆ）７３、スイッチコントローラ７４、操作手段コントローラ７５、ディスプレイコントローラ７６がアドレスバスやデータバス等のバスラインＢを介して接続されている。
【００４３】
チップセットは、データ受渡しの管理等の情報流通を制御し、ＣＰＵとバスラインＢとを接続するために用いられるノースブリッジと、各種コントローラ等の機能を有するサウスブリッジとを備えている。
【００４４】
記憶部７１は、ＲＯＭ（Read Only Memory）、ＲＡＭ（Random Access Memory）、ＢＩＯＳ−ＲＯＭ（Basic Input/Output System-Read Only Memory）、ハードディスク（ＨＤＤ）等により構成されている。例えば、ＲＯＭは、制御部７０の制御動作を実行させるプログラム等を予め格納している。ＲＡＭは、制御部７０が演算処理に使用する各種のメモリエリアを形成する。ＢＩＯＳ−ＲＯＭには、各ハードウェアを初期化する際に実行されるテストプログラムであるＰＯＳＴ（Power-On Self Test）、ＢＩＯＳドライバ、ＶＧＡ（Video Graphics Array）ドライバ等が記録されている。
【００４５】
スキャナコントローラ７２は、固定スキャナ２０及びハンドスキャナ２４に、信号線ＳやケーブルＫ等により接続されている。スキャナコントローラ７２は、固定スキャナ２０及びハンドスキャナ２４のレーザ光の発生・停止が可能に形成されている。即ち、スキャナコントローラ７２は、制御部７０からの指示に基いて、各スキャナ２０，２４のＯＮ／ＯＦＦが可能に形成されている。スキャナコントローラ７２は、固定スキャナ２０及びハンドスキャナ２４により読み取ったバーコードの情報を受信可能に形成されている。
【００４６】
通信Ｉ／Ｆ７３は、例えば、ＰＯＳターミナル１の通信Ｉ／Ｆや、サーバシステムと接続可能に形成されている。
【００４７】
スイッチコントローラ７４は、検出部５８により検出された押圧部５７の動作（操作）情報を受信可能に形成されている。また、スイッチコントローラ７４は、受信した押圧部５７の動作の情報を、スキャナコントローラ７２に送信可能に形成されている。例えば、スイッチコントローラ７４は、検知手段３４から押圧部５７の操作情報があった場合には、スキャナコントローラ７２にこの情報を送信する。スキャナコントローラ７２は、この情報の受信毎に、ハンドスキャナ２４のＯＮ／ＯＦＦを切換可能に形成されている。
【００４８】
操作手段コントローラ７５は、操作手段であるテンキー等のキーボード２１と、オペレータ用ディスプレイ２２と、に接続されている。操作手段コントローラ７５は、キーボード２１及びディスプレイ２２から入力された情報を受信するとともに、ディスプレイコントローラ７６に送信可能に形成されている。
【００４９】
ディスプレイコントローラ７６は、オペレータ用ディスプレイ２２及びカスタマ用ディスプレイ２３に接続されている。ディスプレイコントローラ７６は、操作手段コントローラ７５から受信した情報、及び、固定スキャナ２０又はハンドスキャナ２４で読み取ったバーコードの情報を各ディスプレイ２２、２３に表示可能に形成されている。即ち、ディスプレイコントローラ７６は、各ディスプレイ２２、２３に対するメッセージ等の表示を行うとともに、操作手段コントローラ７５に接続された各操作手段に応じた入力データの取り込み処理を行う。
【００５０】
なお、制御部７０は、主要な機能として、少なくともハンドスキャナ２４が固定器具２５の引掛部３２保持された状態から離脱した状態で、ハンドスキャナ２４の認識部２８によってバーコードの読み取りを可能とする制御機能を有している。具体的には、制御部７０は、スキャナコントローラ７２によりハンドスキャナ２４のＯＮ／ＯＦＦの切換をさせる制御機能を有している。
【００５１】
この制御機能は、ハンドスキャナ２４を固定器具２５の引掛部３２に保持させた場合にハンドスキャナ２４をＯＦＦとし、ハンドスキャナ２４が引掛部３２から脱離した場合にハンドスキャナ２４をＯＮとする機能である。
【００５２】
即ち、検知手段３４がＯＦＦの場合には、スイッチコントローラ７４で検出した情報に基いて、スキャナコントローラ７２がハンドスキャナ２４をＯＦＦにする。検知手段３４がＯＮの場合には、スイッチコントローラ７４で検出したこの情報に基いて、スキャナコントローラ７２がハンドスキャナ２４をＯＮにする。
【００５３】
このように構成されたＰＯＳシステム１００のハンドスキャナ２４の使用について、以下説明する。  
基本的動作として、バーコードの読み取り時においては、固定器具２５からハンドスキャナ２４を脱離させて、読み取りを行うバーコードに認識部２８を近づけて、バーコードの読み取りを行う。また、バーコードの読み取り終了後、即ち、バーコードの読み取り時以外は、ハンドスキャナ２４を固定器具２５の引掛部３２に引き掛けることで、ハンドスキャナ２４を保持部３９に保持させる。
【００５４】
次に、ハンドスキャナ２４を用いたバーコードの読み取りについて説明する。  
先ず、バーコードの読み取りを行う際に、固定器具２５の開口部４０からハンドスキャナ２４を脱離させる。このとき、ハンドスキャナ２４は、第２保持部４２間及び可動部３３間を通過（移動）する。互いに対向する可動部３３の間隔は、ハンドル２６とヘッド部２７との連続部の括れよりも狭く形成されている。
【００５５】
このため、ハンドル２６とヘッド部２７との連続部又はハンドル２６と、可動部３３の当接部材５１とが接触（当接）する。ここで、当接部材５１は、半円板状に形成されているため、ハンドル２６が当接する当接部材５１の側面は、曲面形状である。このため、ハンドル２６により当接部材５１に印加される離脱方向の力は、半円板状の当接部材５１に当接することで、ハンドル２６の離脱方向だけでなく、コイルばね５３を圧縮する圧縮方向にも力が加わる。
【００５６】
このコイルばね５３の圧縮により、当接部材５１は、第２保持部４２の内面４２ａ側に移動し、ハンドル２６の外面が、当接部材５１の表面を摺動する。これにより、当接部材５１は第２保持部４２の内面４２ａ側へと移動する。当接部材５１の移動により、可動部３３間の間隔が、通過するハンドル２６の幅と同一幅となる。これにより、ハンドスキャナ２４が固定器具２５から脱離する。
【００５７】
可動部３３が移動すると、当接部材５１と軸体５２とがあわせて移動する。これにより、軸体５２は、押圧部５７を操作する。押圧部５７が操作されると、検出部５８がこれを検出する。スイッチコントローラ７４は、この検出情報をスキャナコントローラ７２に送信する。スキャナコントローラ７２は、この検出情報から、ハンドスキャナ２４のＯＮ／ＯＦＦの切換を行う。
【００５８】
固定器具２５に保持されたハンドスキャナ２４はＯＦＦ状態であるため、固定器具２５からハンドスキャナ２４を脱離させることで、ハンドスキャナ２４がＯＮ状態となる。
【００５９】
ハンドスキャナ２４がＯＮとなることで、ハンドスキャナ２４は、認識部２８からレーザ光を発射する。オペレータは、ハンドスキャナ２４から発射されるレーザ光をバーコードに照らすことで、バーコードが光学的に走査され、バーコードの情報を読み込む。
【００６０】
制御部７０は、読み込まれた情報を、通信Ｉ／Ｆ７３に接続されたサーバ等に記憶された商品情報とバーコードの情報とを比較し、同一情報を検索する。バーコードの情報と同一の商品情報を検索後、制御部７０は、ディスプレイコントローラ７６にこの情報を送信し、各ディスプレイ２２、２３に表示させる。
【００６１】
次に、ハンドスキャナ２４の保持について説明する。  
バーコードの読み取り終了後、ハンドスキャナ２４のハンドル２６、可能であればハンドル２６とヘッド部２７の連続部の括れを開口部４０に挿入する。このとき、ハンドル２６の幅は、当接部材５１（可動部３３）間の間隔よりも広い。このため、ハンドル２６の外面が、当接部材５１に当接する。
【００６２】
ハンドル２６の挿入方向の力は、半円板状の当接部材５１に当接することで、ハンドル２６の挿入方向だけでなく、コイルばね５３を圧縮する圧縮方向にも力が加わる。これにより、当接部材５１は、第２保持部４２の内面４２ａ側に移動し、ハンドル２６の外面が、当接部材５１の表面を摺動する。
【００６３】
このため、ハンドル２６の幅と可動部３３間の間隔とが略同一となり、ハンドル２６が開口部４０へ挿入可能となり、図３の二点鎖線に示すように、ハンドル２６が第１保持部４１及び第２保持部４２に近接する。
【００６４】
この状態でオペレータがハンドル２６を放すと、ハンドスキャナ２４は重力方向に落下するが、ヘッド部２７の下方の外面が、第１保持部４１及び第２保持部４２の保持面４３に当接する。これにより、ハンドスキャナ２４は保持部３９に保持されることとなる。
【００６５】
また、可動部３３は、ハンドル２６が干渉しないため、コイルばね５３の復元力により、第２保持部４２の内面４２ａから突出する。これにより、ハンドスキャナ２４が保持部３９から脱落することがない。
【００６６】
このように、ハンドスキャナ２４を固定器具２５に固定すると、ハンドル２６の干渉により、可動部３３（当接部材５１）が移動する。当接部材５１の移動により、軸体５２も合わせて移動する。軸体５２は、押圧部５７を操作し、検出部５８がこれを検出する。スイッチコントローラ７４は、この検出情報をスキャナコントローラ７２に送信する。スキャナコントローラ７２は、この検出情報から、ハンドスキャナ２４のＯＮ／ＯＦＦの切換を行う。
【００６７】
即ち、固定器具２５から離脱していたハンドスキャナ２４はＯＮ状態であるため、固定器具２５にハンドスキャナ２４を保持させることで、ハンドスキャナ２４がＯＦＦ状態となる。
【００６８】
このように構成されたＰＯＳシステム１００によれば、ハンドスキャナ２４は、可動する当接部材５１により開口部４０の幅が可変し、保持部３９に保持自在、且つ、脱離防止が可能となる。即ち、コイルばね５３の復元力により、当接部材５１は常時対向する当接部材５１側に向って圧力が印加される。
【００６９】
即ち、当接部材５１は、弾性部材（コイルばね）５３により互いに対向する方向へ所定の力で付勢されている。このため、ハンドスキャナ２４が保持部３９から脱離方向へ移動しても、当接部材５１がハンドル２６に当接するため、ハンドスキャナ２４が保持部３９から脱離することを防止できる。なお、コイルばね５３の復元力（ばねの弾性定数）は、オペレータがハンドスキャナ２４を移動させない限り、可動部３３からハンドスキャナ２４が脱離しない程度の復元力を有していればよい。
【００７０】
このため、例えば、商品登録時や、レジカウンタ２００にカスタマが買い物籠を載置する際に、ハンドスキャナ２４に設けられたケーブルＫに触れることで、ハンドスキャナ２４が移動しても可動部３３により、ハンドスキャナ２４が固定器具２５から脱落することを防止することが可能となる。
【００７１】
また縦型スキャナ２の側面に、固定器具２５を設けることで、ハンドスキャナ２４を容易に保持可能となり、オペレータがハンドスキャナ２４と把持して固定器具２５と着脱させることが容易となる。また、ハンドスキャナ２４の固定器具２５は、ボルト等により、縦型スキャナ２に配置可能であるため、取付が容易である。また、オペレータがハンドスキャナ２４を取りやすい位置に配置することも可能となる。
【００７２】
さらに、既存の縦型スキャナ２に固定器具２５を設けることも可能である。このため、汎用性も高い。既存の縦型スキャナ２を使用した場合には、ハンドスキャナ２４のＯＮ／ＯＦＦを固定器具２５への着脱で行うことが難しい場合もあるが、このような場合には、ハンドスキャナ２４の保持のみが可能な固定器具２５として使用すればよい。このときには、検知手段３４を構成から抜かせば良い。
【００７３】
また、ハンドスキャナ２４は、固定器具２５に保持させるとＯＦＦとなり、レーザ光が発射されない（発生しない）構成である。このため、固定器具２５にハンドスキャナ２４を保持させた際に、ハンドスキャナ２４がずれる等によりレーザ光がカスタマの目等に当たることもない。これにより、カスタマを不快にさせる虞がない。
【００７４】
さらに、固定器具２５からハンドスキャナ２４を離脱させることで、レーザ光が発射され、バーコードを読み取ることが可能となる。即ち、バーコードの読み取り時のみレーザ光を発射することが可能となる。これにより、ハンドスキャナ２４を固定器具から脱離させたときに、ハンドスキャナ２４の認識部２８によりバーコードの読み取りを確実に行うことできるだけでなく、無駄なレーザ光の発射を防止し、省エネ効果も高い。
【００７５】
上述したように本実施の形態に係るＰＯＳシステム１００によれば、開口部４０をハンドスキャナ２４のハンドル２６が移動することで、可動部３３が移動し、スキャナコントローラ７２がハンドスキャナ２４のＯＮ／ＯＦＦを行う。このため、固定器具２５にハンドスキャナ２４を配置させるだけでハンドスキャナ２４のＯＮ／ＯＦＦが可能となる。また、ハンドスキャナ２４を保持部３９に保持させれば、可動部３３によりハンドスキャナ２４が脱落することを防止することが可能となる。
【００７６】
なお、本発明は前記実施の形態に限定されるものではない。上述した例では、ハンドスキャナ２４及び固定器具２５は、縦型スキャナ２に設ける構成としたが、これに限定されない。例えば、ＰＯＳターミナル１に用いる構成であってもよい。また、ＰＯＳターミナル１及び縦型スキャナ２以外の、ハンドスキャナを用いる情報処理装置に用いても良い。
【００７７】
さらに、上述した例では、可動部３３は、当接部材５１と、当接部材５１に設けられた軸体５２と、軸体５２に設けられる弾性部材であるコイルばね５３と、を組み合わせた構成としたが、これに限定されない。例えば、弾性部材５３は、コイルばねでなく、復元力を有する樹脂材料であってもよい。また、当接部材５１を弾性部材で形成し、弾性部材５３の機能を有する当接部材としてもよい。
【００７８】
また、固定器具２５は、ハンドスキャナ２４のハンドル２６の寸法や形状によって、開口部４０の広さ、及び、当接部材５１の形状や寸法を適宜変更してもよい。開口部４０の広さ、及び、当接部材５１の形状・寸法を変更することで、固定器具２５は、種種多様なハンドスキャナ２４に適用できる。
【００７９】
さらに、検知手段３４は、押圧部５７の形状を可動部３３の形状に合わせて適宜変更可能である。また、検知手段３４は、上述した構成でなくてもよく、マイクロＳＷやボタン式ＳＷであっても、近接センサであってもよい。即ち、可動部３３の移動を検知可能であればよい。
【００８０】
また、上述した例では、認識部２８は、レーザ光を発射するとしたが、これに限定されない。認識部として、レーザ光でなく、例えばＣＣＤカメラによって商品を読み取り可能としてもよく、また、バーコードでなく二次元コードを読み取り可能であってもよい。
【００８１】
また、上述した例では、制御部７０は、主要な機能として、ハンドスキャナ２４のＯＮ／ＯＦＦを行う制御機能を有しているとしたが、これに限定されない。例えば、認識部にＣＣＤカメラを用いた場合には、レーザ光がカスタマ等に照射される恐れがない。このため、少なくともハンドスキャナ２４が固定器具２５の引掛部３２に保持された状態から離脱した状態で、認識部２８によって商品の読み取りが可能であれば、ハンドスキャナ２４の使用条件によって、固定器具２５に保持された状態でのハンドスキャナ２４は、固定器具２５から離脱された状態と、その機能の一部が変更される等、適宜設定可能である。この他、本発明の要旨を逸脱しない範囲で種々変形実施可能である。
【符号の説明】
【００８２】
１…ＰＯＳターミナル（情報処理装置）、２…縦型スキャナ（情報処理装置）、１０…筐体、１１…キーボード、１２…オペレータ用ディスプレイ、１３…カスタマ用ディスプレイ、１４…プリンタ、１５…ドロワ、２０…固定スキャナ、２１…キーボード、２２…オペレータ用ディスプレイ、２３…カスタマ用ディスプレイ、２４…ハンドスキャナ、２５…固定器具、２６…ハンドル、２７…ヘッド部、２８…認識部（読み取り部）、３１…取付部、３２…引掛部、３３…可動部、３４…検知手段、３６…取付ベース、３７…ボルト穴、３８…連結部材、３９…保持部、４０…開口部、４１…第１保持部、４２…第２保持部、４２ａ…内面、４３…保持面、４５…上部材、４６…下部材、４７…ビス、４８…ネジ穴、４９…孔部、５１…当接部材、５２…軸体、５３…弾性部材、５４…第１座部、５５…第２座部、５５ａ…開口、５７…押圧部、５８…検出部、７０…制御部（制御手段）、７１…記憶部、７２…スキャナコントローラ、７３…通信インターフェイス、７４…スイッチコントローラ、７５…操作手段コントローラ、７６…ディスプレイコントローラ、１００…ＰＯＳシステム、２００…レジカウンタ、２０１…レジ台、２０２…サッカー台、Ｂ…バスライン、Ｋ…ケーブル、Ｓ…信号線。
【先行技術文献】
【特許文献】
【００８３】
【特許文献１】特開２００２−１４０６６１号公報
【図１】
2010244428.tif 000003
【図２】
2010244428.tif 000004
【図３】
2010244428.tif 000005
【図４】
2010244428.tif 000006
【図５】
2010244428.tif 000007
【図６】
2010244428.tif 000008